(57)【要約】 【課題】  端子挿入力を低減するとともに端子金具を正規の挿入姿勢に矯正する。【解決手段】  ハウジング１１には端子金具３０が圧入される装着孔１２が形成されている。装着孔１２の内面は、端子金具３０の取付部３１の上下両端面に面当たりされるフラットな基準面１５と、取付部３１の両板面と間隔をあけて配される左右一対の間隔保持面１６とを備える。装着孔１２の内面には、コーナー部に肉盛りされて取付部３１と当接することで取付部３１の挿入位置を規制する規制部１７が設けられている。したがって、端子金具３０は、端子挿入力を低減させた状態で装着孔１２に圧入され、基準面１５と規制部１７とによって正規の挿入姿勢に矯正される。【選択図】  図３
2005197056.tif 000002
【特許請求の範囲】
【請求項１】
平板状の取付部を有する端子金具と、この端子金具が圧入される装着孔を有するハウジング部とを備え、
前記装着孔の内面は、前記取付部における板面と直交して位置する両端面のうちの少なくともいずれか一方と面当たりするとともに前記取付部の厚みとほぼ同幅をもって形成された基準面と、前記取付部の両板面と間隔をあけて対向する一対の間隔保持面とを備え、かつ、前記装着孔の内面には、前記取付部の４隅と対応するコーナー部に肉盛りされて前記取付部の厚み方向への遊動を規制する規制部が設けられていることを特徴とするコネクタ。
【請求項２】
前記一対の間隔保持面には、内向きに突出する一対の突部が設けられ、この一対の突部は、前記取付部を厚み方向に挟み込むようになっていることを特徴とする請求項１に記載のコネクタ。
【発明の詳細な説明】
【技術分野】
【０００１】
本発明は、平板状の端子金具が挿入されるコネクタに関する。
【背景技術】
【０００２】
従来、例えばＳＩＭＭ基板用ソケットとして、以下の特許文献１に記載のものが知られている。このものは、図８に示すように、樹脂製のハウジング部３を備え、ハウジング部３には、縦長スリット状に開口する複数の孔４が形成されている。各孔４には、平板状の端子金具２が圧入可能とされ、これら端子金具２がハウジング部３の幅方向に一定ピッチをあけて並列配置されるようになっている。そして、端子金具２の両板面とこの両板面に対向する孔４の内面との間にはクリアランス１が設けられており、双方が非接触となることで端子挿入時の挿入力を低減させてある。
【特許文献１】特開平７−２１１４０７号公報
【発明の開示】
【発明が解決しようとする課題】
【０００３】
ところが、クリアランス１が設けられていると、端子金具２は、図８に示すように、正規の挿入姿勢から傾いたり、ハウジング部３の孔４中心から偏心する位置にずれたりすることがあり、結果、隣り合う端子金具２間のピッチが一定とならずにアライメントがばらつく懸念がある。
【０００４】
本発明は上記のような事情に基づいて完成されたものであって、端子挿入力を低減させ、かつ、端子金具を正規の挿入姿勢に矯正することを目的とする。
【課題を解決するための手段】
【０００５】
上記の目的を達成するための手段として、請求項１の発明は、平板状の取付部を有する端子金具と、この端子金具が圧入される装着孔を有するハウジング部とを備え、前記装着孔の内面は、前記取付部における板面と直交して位置する両端面のうちの少なくともいずれか一方と面当たりするとともに前記取付部の厚みとほぼ同幅をもって形成された基準面と、前記取付部の両板面と間隔をあけて対向する一対の間隔保持面とを備え、かつ、前記装着孔の内面には、前記取付部の４隅と対応するコーナー部に肉盛りされて前記取付部の厚み方向への遊動を規制する規制部が設けられている構成としたところに特徴を有する。
【０００６】
請求項２の発明は、請求項１に記載のものにおいて、前記一対の間隔保持面には、内向きに突出する一対の突部が設けられ、この一対の突部は、前記取付部を厚み方向に挟み込むようになっているところに特徴を有する。
【発明の効果】
【０００７】
＜請求項１の発明＞
装着孔の内面における間隔保持面が取付部の両板面と間隔をあけて配されるから、端子挿入力を低減できる。また、装着孔の内面における基準面が端子金具の挿入方向両側端面のうちの少なくとも一方の端面と面当たりされ、その状態で規制部が端子金具の挿入位置を規制するようになっているから、端子金具を正規の挿入姿勢に矯正することができる。
【０００８】
＜請求項２の発明＞
装着孔の内面における間隔保持面と取付部の両板面との間にクリアランスが設けられているから、端子金具が装着孔に圧入されるとこのクリアランス内で取付部が撓み変形される事態が起こり得るものの、本発明によれば、間隔保持面に設けられた一対の突部が取付部を板厚方向に挟み込むようになっているから、そのような取付部が撓み変形される事態を回避でき、もって端子金具を正規の挿入姿勢に確実に矯正することができる。
【発明を実施するための最良の形態】
【０００９】
＜実施形態１＞
本発明の実施形態１を図１乃至図３によって説明する。本実施形態に係るコネクタ１０は、ハウジング部１１と、このハウジング部１１に取り付けられる複数の端子金具３０とを備えている。なお、以下においては、図１、図２の右側を前方として説明する。
【００１０】
端子金具３０は、所定形状に打ち抜いた導電性の金属板材からなることで全体として平板状をなし、図１に示すように、ハウジング部１１に圧入によって取り付けられる取付部３１と、この取付部３１の上下両端部から前方へ片持ち状に突出する一対のアーム部３２と、取付部３１の下端から後方へ片持ち状に突出する脚部３３とを備えている。かかる端子金具３０は、図２に示すように、取付部３１をハウジング部１１の装着孔１２（後述する）に圧入することにより、複数が板厚方向と同方向に一定ピッチで並列されるとともに、脚部３３がハウジング部１１の後端面から後方へ露出され、かつ、両アーム部３２がハウジング部１１の前面つまり相手コネクタとの嵌合面に臨むような態様で取り付けられる。
そして、このコネクタ１０は、図示しない回路基板に固定されることにより、各脚部３３がそれぞれ回路基板の回路に接続されるとともに、両アーム部３２間に、図示しないケーブルの芯線等の導体部が進入するようになっている。両アーム部３２は、相手コネクタとの嵌合時に導体部を厚み方向に弾性的に挟圧することで、上側のアーム部３２の前端部に設けられた接点部３５が導体部と導通接続されるようになっている。また、取付部３１の上端には、上方へ山状に突出する係止部３４が設けられている。係止部３４は、前後に２つ連なって配置され、このうち後方に配置されるものがハウジング部１１の内面に食い込むことでハウジング部１１との接合強度を高めている。
【００１１】
ハウジング部１１は、合成樹脂製であって、前後両端面間を貫通する縦長スリット状の装着孔１２が各端子金具３０と対応する位置に複数形成されており、各装着孔１２に各端子金具３０が後方から挿入されるようになっている。
【００１２】
装着孔１２の内面の前部には、左右両側面を架け渡すようにして前止り壁１３が設けられている。前止り壁１３は、正規の挿入位置に至った端子金具３０を当て止めすることで端子金具３０がそれ以上前方へ進入するのを規制している。
また、装着孔１２の内面の後端上下開口縁には、端子金具３０の挿入を案内するテーパ面１４が形成されている。そして、装着孔１２の内面の後部は、図３に示すように、端子金具３０の取付部３１の板面と直交して位置する両端面、つまり取付部３１の上下両端面と対向する位置に配される上下一対の基準面１５と、取付部３１の両板面と対向する位置に配される左右一対の間隔保持面１６とを備えている。
【００１３】
各基準面１５は、それぞれ、取付部３１の板厚とほぼ同幅をもって構成され、取付部３１の上下両端面に面当たりされる水平なフラット面となっている。一方、各間隔保持面１６は、取付部３１の両板面との間にクリアランスをあけて構成され、取付部３１の両板面とほぼ平行して配される垂直なフラット面となっている。
【００１４】
そして、装着孔１２の内面における４つのコーナー部には、一定の勾配をもって肉盛りされた規制部１７が設けられている。各規制部１７は、それぞれ、上下一対の基準面１５の幅方向両端縁と連なって取付部３１の両板面から少しずつ離れる方向に延出されてその延出端で各間隔保持面１６に繋がっている。したがって、取付部３１は、各規制部１７によって厚み方向への遊動が規制されるようになっている。この各規制部１７は、取付部３１の前後方向の長さ寸法とほぼ長さ寸法をもって前後方向に延設されている。
【００１５】
次に、本実施形態の作用を説明する。端子金具３０をハウジング部１１に圧入するには、図１に示すように、端子金具３０をハウジング部１１の装着孔１２の後端開口縁に正対させ、その状態で図示矢線方向に端子金具３０を移動させ、端子金具３０を装着孔１２内へ押し込む。すると、取付部３１の両板面は装着孔１２の各間隔保持面１６と非接触とされるものの、取付部３１の上下両端面が装着孔１２の各基準面１５と摺動するとともに、取付部３１の係止部３４が上側の基準面１５に食い込む。さらに押し込みを続けると、取付部３１の前端が前止り壁１３に当接することで端子金具３０のそれ以上の押し込みが規制される。この正規の挿入位置で端子金具３０は、装着孔１２の幅方向中心に垂直姿勢をとった状態で配置される。また、端子金具３０は、挿入途中及び挿入後において各規制部１７により装着孔１２の幅方向中心に垂直姿勢をとった状態を保つことが可能とされる。
【００１６】
以上のように本実施形態によれば、端子金具３０を装着孔１２に圧入する際、取付部３１の両板面と装着孔１２の内面における各間隔保持面１６との間にクリアランスが設けられているから、取付部３１と各間隔保持面１６との間の摩擦抵抗がなくなって端子挿入力を低減できる。また、取付部３１の上下両端面が装着孔１２の内面における上下一対の基準面１５と面当たりされるから、取付部３１が高さ方向に位置決めされ、その上で、取付部３１の４隅に対応する各規制部１７がこの取付部３１の挿入位置を規制するようになっているから、端子金具３０を正規の挿入姿勢に矯正することができ、結果、各端子金具３０間のピッチを一定としてアライメントのばらつきをなくすことができる。
【００１７】
＜実施形態２＞
次に、本発明の実施形態２を図４乃至図６によって説明する。実施形態２は、装着孔１２の内面の一部を実施形態１と異なる構成としたものである。その他の構成については上記実施形態１と同じであるため、同じ構成については同一符号を付して構造、作用効果の説明は省略する。
【００１８】
実施形態２における装着孔１２の内面の各間隔保持面１６には、互いに向かい合うようにして内向きに突出する一対の突部１８が設けられており、この一対の突部１８が端子金具３０の取付部３１の両板面を板厚方向に挟持可能となっている。具体的には各突部１８は、前止り壁１３と連続する態様で前後方向に延出されるとともに装着孔１２の幅方向中心を挟んで左右対称の形状をなし、先端尖鋭状に形成されている。
【００１９】
これにより、図４に示す状態から、図示矢線方向に端子金具３０をハウジング部１１の装着孔１２内に押し込むと、各突部１８が取付部３１の両板面を板厚方向に挟み込む。したがって、ハウジング部１１にクリアランスが設けられ、端子金具３０が圧入によってハウジング部１１に装着されることから、取付部３１が撓み変形される可能性が多少なりともあったが、各突部１８によってそのような撓み変形を阻止でき、にって端子金具３０を正規の挿入姿勢に確実に矯正することができる。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、装着孔の内面に取付部の上下両端面と面当たりするフラットな基準面が備えられていたが、本発明においては、図７に示すように、例えば、上下のいずれか一方をフラットな基準面１５とすれば、他方はアール面１９であっても構わない。
（２）上記実施形態では、端子金具に係止部が設けられていたが、本発明においては、係止部がなく端子金具を装着孔に単なる圧入によって固定するものであってもよい。
【図面の簡単な説明】
【００２１】
【図１】本発明の実施形態１に係るコネクタの端子金具を装着する前の状態を示す縦断面図
【図２】同じく端子金具を装着した状態を示す縦断面図
【図３】同じく要部側断面図
【図４】実施形態２に係るコネクタの端子金具を装着する前の状態を示す縦断面図
【図５】同じく端子金具を装着した後の状態を示す縦断面図
【図６】同じく要部側断面図
【図７】他の実施形態における要部側断面図
【図８】従来例における要部側断面図
【符号の説明】
【００２２】
１０…コネクタ
１１…ハウジング部
１２…装着孔
１５…基準面
１６…間隔保持面
１７…規制部
１８…突部
３０…端子金具
３１…取付部
【図１】
2005197056.tif 000003
【図２】
2005197056.tif 000004
【図３】
2005197056.tif 000005
【図４】
2005197056.tif 000006
【図５】
2005197056.tif 000007
【図６】
2005197056.tif 000008
【図７】
2005197056.tif 000009
【図８】
2005197056.tif 000010